(57)【要約】【目的】筐体内に複数の電気ユニットを接続するときに必要な設置スペースを少なくすることができる電気ユニット用配線フレームを提供する。【構成】着脱自在な電気ユニットが取り付けられた取付板（２０）と、一定の間隔をおいて配置され一つ以上の取付板（２０）を支持する支柱（１０）と、を有し、軸線方向且つ前記取付板の取り付けられる側の支柱には、開口したスライド溝（３０）が設けられ、スライド溝（３０）は、支柱（１０）の適宜位置に取付板（２０）を取り付ける固定手段（５０）の一部を収容し、各取付板（２０）に取り付けられた電気ユニットは、配線ケーブルを介して電気的に接続され、各配線ケーブルは、支柱（１０）に直交する取付板（２０）の面に形成された取付部（２１）に装着された櫛状部材（７０）に保持されたことを特徴とする。【選択図】  図１
2004319641.tif 000002
【特許請求の範囲】
【請求項１】
着脱自在な電気ユニットが取り付けられた取付板と、一定の間隔をおいて配置され一つ以上の取付板を支持する支柱と、を有し、
軸線方向且つ前記取付板の取り付けられる側の前記支柱には、開口したスライド溝が設けられ、
前記スライド溝は、前記支柱の適宜位置に前記取付板を取り付ける固定手段の一部を収容し、
前記取付板に取り付けられた前記電気ユニットは、配線ケーブルを介して電気的に接続され、
前記配線ケーブルは、前記支柱に直交する前記取付板の面に形成された取付部に装着された櫛状部材に保持されたことを特徴とする電気ユニット用配線フレーム。
【請求項２】
前記支柱の両端側には、回動軸を取り付ける取付溝が設けられていることを特徴とする請求項１記載の電気ユニット用配線フレーム。
【発明の詳細な説明】
【０００１】
本発明は、例えば、開閉装置等の筐体内で複数の電気ユニットを固定し配線する電気ユニット用配線フレームに関するものである。
【０００２】
【従来の技術】
従来、複数の電気ユニットを固定し配線する電気ユニット用配線フレームの一例が、特許文献の図３に示したものがある。これは、装置筐体の底壁部に、複数のケーブル導入部６、６・・が並設され、床下空間等を挿通させる電源ケーブル４はケーブル導入部６から筐体１に引き込まれ、ケーブルクランプ５により締結される。さらに、筐体１には、配電部３が設置されており、この電源ケーブル４は、配電部３の入力端子７に接続されている。
【０００３】
【特許文献】
特開平６−９７６８５号公報
【０００４】
【発明が解決しようとする課題】
しかし、上記の構成では、ケーブルは筐体１の底壁に固定される各ケーブル導入部を経由して筐体１内に引き込まれるため複数のケーブル導入部６、６・・を設置するスペースが必要となり、筐体自体も大型化してしまう問題がある。
【０００５】
また、筐体内で各電気ユニットを電気的に接続する場合、各電気ユニットを接続する配線のダクトが必要となり、先に述べた、ケーブル導入部を設置するスペースに加えて、ダクトの設置スペース分だけ筐体自体が大型化してしまう。さらに、筐体内にダクトが設置されることにより、筐体内の空気の流通が滞ってしまい、筐体内の冷却効率が低下する傾向が高い。
【０００６】
本発明は、上記問題に鑑みてなされたものであり、筐体内に複数の電気ユニットを接続するときに必要な設置スペースを少なくすることができる電気ユニット用配線フレームを提供することを課題とする。
【０００７】
【課題を解決するための手段】
本発明により上記目的は、請求項１記載の発明において、着脱自在な電気ユニットが取り付けられた取付板と、一定の間隔をおいて配置され一つ以上の取付板を支持する支柱と、を有し、軸線方向且つ取付板の取り付けられる側の支柱には、開口したスライド溝が設けられ、スライド溝は、支柱の適宜位置に取付板を取り付ける固定手段の一部を収容し、取付板に取り付けられた電気ユニットは、配線ケーブルを介して電気的に接続され、配線ケーブルは、支柱に直交する取付板の面に形成された取付部に装着された櫛状部材に保持されるにより達成される。また、請求項２記載の発明は、支柱の両端側に、回動軸を取り付ける取付溝が設けられていることを特徴とする。
【０００８】
【発明の実施の形態】
以下、本発明の好適な実施形態について図面を参照して説明する。図１に、本発明の電気ユニット用配線フレームの概略図を示す。図１に示すように、電気ユニット用配線フレームは、取付板２０を支持する支柱１０と、着脱自在な電気ユニット（図示せず）が取り付けられた取付板２０とを有する。
【０００９】
支柱１０は、図１および図２に示すように、取付板２０の幅方向に対応して一定の間隔をおいて配置され、支柱１０の長手方向にはスライド溝３０が設けられている。スライド溝３０は、取付板２０を支柱１０に取り付ける固定手段５０たるボルト５０ｂを受けるボルト受部５０ａが収容できるような形状、例えば、断面Ｔ字状に形成され、取付板２０を支持する側の面が開口している。なお、図１において、スライド溝３０には、ボルト受部５０ａが収容できる形状となっているが、図２に示すようにボルトの頭を収容するものであってもよい。
【００１０】
また、スライド溝３０は、図２に示すように、取付板２０が対向して取り付けられるように、対称位置（例えば、スライド溝３０が設けられた反対の位置）に設けられている。なお、図１においては、スライド溝３０が一つ設けられているものが図示されている。このような構成により、取付板２０を立体的に配置することができ、筐体４０（図３に図示）内に収容される取付板２０の集積を高めることができる。
【００１１】
さらに、図３に示すように支柱１０の両側には、回動軸６０を取り付ける取付溝１１が設けられている。図４に示すように、回動軸６０は取付溝１１と筐体４０の受部４１とに嵌め入れられており、取付板２０を支柱１０に取り付けてユニット化したものを、回動軸６０を中心として、回動させるものである。
【００１２】
取付板２０は、板状の部材からなり、支柱１０間に形成された空間内に順次並列に配置した状態で支持されている。また、長手方向、すなわち支柱１０と直角に交差する面には、櫛状部材７０を装着する取付部２１が形成されている。配線用ケーブルは、櫛状部材７０の櫛間に保持される。
【００１３】
なお、図１に示すように、この実施の形態において、取付部２１は取付板２０の両側に設けられているが、片側のみに設けても良い。さらに、取付板２０の中央には、電気ユニット（図示せず）を取り付ける装着部が設けられている。装着部の両側にはボルトを通す取付孔が設けられている。
【００１４】
また、図１において、取付板２０は、ボルトにより直接、支柱１０に取り付けているが、図４に示すように、ブランケット８０を介して取付板２０を支柱１０に取り付けてもよい。この構成により、電気ユニットの配線ケーブルを通すスペースを確保することができる。
【００１５】
以上の構成のもと、支柱１０間への取付板２０の支持は、各支柱１０のスライド溝３０にボルトの頭を挿入して、取付板２０を取り付ける適宜位置にボルトを摺動させ、次いで、ボルトのねじ部を取付板２０の取付孔へ通し、ナットを締め込むことにより取付板２０を取り付けることにより行われる。
【００１６】
【発明の効果】
以上のように、本発明は、筐体内に複数の電気ユニットを接続するときに必要な設置スペースを少なくすることができる。
【図面の簡単な説明】
【図１】本発明の電気ユニット用配線フレームの概略図。
【図２】本発明のその他の実施の形態を示す図。
【図３】図２の上面図。
【図４】回動軸が筐体と支柱に取り付けられることを示す要部斜視図。
【符号の説明】
１０  支柱
２０  取付板
３０  スライド溝
４０  筐体
５０  固定手段
６０  回動軸
７０  櫛状部材
【図１】
2004319641.tif 000003
【図２】
2004319641.tif 000004
【図３】
2004319641.tif 000005
【図４】
2004319641.tif 000006